(57)【要約】【課題】商品の購入料金と、この商品を介して提供される各種サービスに対するサービス料金との支払いに係るデータ処理を効率的に行う。【解決手段】通信ネットワーク（１）を介して情報を授受可能なサーバ装置（５０）、並びに購入申込用の第１端末装置（１０）、割賦支払組織用の第２端末装置（２０）及び決済代行組織用の第３端末装置（３０）を含む料金支払システムである。第１端末装置は、（ｉ）商品本体の購入料金を割賦支払いするための部分と（ｉｉ）サービス料金を、決済代行支払いするための部分との組合せからなる支払プランを夫々示す複数の支払プラン情報のうち、所望のものの入力を促すと共に、個人情報及びクレジットカード番号の入力を促す入力手段（１０４）を備える。サーバ装置は、この入力された情報中から、割賦支払申込用の項目に係る情報と決済代行申込用の項目に係る情報とを分ける処理手段（５０２）を備える。【選択図】　　図１
2004038665.tif 000002
【特許請求の範囲】
【請求項１】
通信ネットワークを介して情報を授受可能なサーバ装置、並びに購入申込用の第１端末装置、割賦支払組織用の第２端末装置及び決済代行組織用の第３端末装置を含む料金支払システムであって、
前記第１端末装置は、（ｉ）購入者が商品を購入する際の購入料金を、前記購入者が前記割賦支払組織を利用して割賦支払いするための支払プラン部分と（ｉｉ）前記購入者が前記商品を介して継続的に提供されるサービスを受ける際のサービス料金を、前記決済代行組織が発行し且つ前記購入者が所有するクレジットカードを利用して決済代行支払いするための支払プラン部分との組合せからなる支払プランを夫々示す複数の支払プラン情報のうち所望のものの入力を促すと共に、前記購入者についての所定種類の個人情報及び前記クレジットカードのカード番号情報の入力を促す入力手段を備えており、
前記サーバ装置及び前記第１端末装置のうち少なくとも一方は、
前記入力手段を介して入力された情報中から、（ｉ）少なくとも前記個人情報及び前記支払プラン情報の一部を含む予め設定された割賦支払申込用の項目に係る情報と（ｉｉ）少なくとも前記個人情報、前記支払プラン情報及び前記カード番号情報の一部を含む予め設定された決済代行申込用の項目に係る情報とを分けて抽出する処理手段と、
前記抽出された割賦支払申込用の項目に係る情報を前記第２末装置に通信ネットワークを介して送信すると共に前記抽出された決済代行申込用の項目に係る情報を前記第３端末装置に通信ネットワークを介して送信し、前記送信された割賦支払申込用の項目に係る情報に対応して前記第２端末装置から前記通信ネットワークを介して送信される割賦支払の許可又は不許可を示す割賦支払審査結果情報を受信すると共に前記送信された決済代行申込用の項目に係る情報に対応して前記第３端末装置から前記通信ネットワークを介して送信される決済代行の許可又は不許可を示す決済代行審査結果情報を受信する通信手段と、
前記受信された割賦支払審査結果情報及び決済代行審査結果情報に基づいて、前記入力された支払プラン情報により示される支払プランを確定する確定手段とを備えたことを特徴とする料金支払システム。
【請求項２】
前記入力手段は、一つの入力フォーム上で、前記支払プラン情報、前記個人情報及び前記カード番号情報をの各々について重複することなく入力可能に構成されていることを特徴とする請求項１に記載の料金支払システム。
【請求項３】
前記サーバ装置は、前記入力手段を介して入力された個人情報、支払プラン情報及びカード番号情報をデータベースに登録し、
前記処理手段及び前記通信手段は、前記サーバ装置に設けられており、
前記処理手段は、前記データベースに登録される又は登録された情報中から、前記割賦支払申込用の項目に係る情報と前記決済代行申込用の項目に係る情報とを分けて抽出することを特徴とする請求項１又は２に記載の料金支払システム。
【請求項４】
前記処理手段は、前記情報を抽出するのに加えて、前記割賦支払申込用の項目に係る情報を、前記第２端末装置用のフォーマットに加工し、前記決済代行申込用の項目に係る情報を、前記第３端末装置用のフォーマットに加工することを特徴とする請求項１から３のいずれか一項に記載の料金支払システム。
【請求項５】
前記第１端末装置は、前記確定手段により確定された支払プランを所定フォーマットで出力する確定プラン出力手段を更に備えたことを特徴とする請求項１から４のいずれか一項に記載の料金支払システム。
【請求項６】
前記サーバ装置は、前記複数の支払プラン情報を、前記通信ネットワークを介して前記第１端末装置に提供する支払プラン情報提供手段を更に備えたことを特徴とする請求項１から５のいずれか一項に記載の料金支払システム。
【請求項７】
前記第１端末装置は、前記通信ネットワークを介して提供される複数の支払プラン情報を、前記入力手段により入力又は選択可能な候補として所定フォーマットで出力する支払プラン候補出力手段を更に備えたことを特徴とする請求項６に記載の料金支払システム。
【請求項８】
前記入力手段は、前記支払プラン候補出力手段により出力された複数の支払プラン情報中のいずれかの選択を促すことを特徴とする請求項７に記載の料金支払システム。
【請求項９】
前記支払プラン候補出力手段は、前記所定フォーマットとして前記購入料金と前記サービス料金との区別がつかないフォーマットで前記複数の支払プラン情報を出力することを特徴とする請求項７又は８に記載の料金支払システム。
【請求項１０】
前記支払プラン情報提供手段は、前記入力された個人情報に基づき所定基準に従って前記購入者に適用可能な一又は複数の支払プラン情報を提供することを特徴とする請求項６から９のいずれか一項に記載の料金支払システム。
【請求項１１】
前記支払プラン情報提供手段は、デフォールトとして既に提供した支払プラン情報中に、前記入力された個人情報に基づき所定基準に従って前記購入者に適用可能なものが存在しない場合には、新たな支払プランを提供することを特徴とする請求項６から１０のいずれか一項に記載の料金支払システム。
【請求項１２】
前記入力手段は更に、前記支払プラン情報に関する前記購入者の嗜好情報を所定フォーマットで入力可能に構成されており、
前記支払プラン情報提供手段は、前記入力手段により入力された前記購入者の嗜好情報に応じて一又は複数の支払プラン情報を提供することを特徴とする請求項６から１１のいずれか一項に記載の料金支払システム。
【請求項１３】
前記支払プラン情報提供手段は、各支払プランの採択実績結果及び各支払プランの人気アンケートのうち少なくとも一方を反映させた形で、前記支払プラン情報にランキングをつけて提供することを特徴とする請求項６から１２のいずれか一項に記載の料金支払システム。
【請求項１４】
前記割賦支払が行われる割賦期間中に支払われる金額は、前記購入料金及び前記サービス料金に充てられ、前記割賦期間の経過後に支払われる金額は、前記サービス料金に充てられることを特徴とする請求項１から１３のいずれか一項に記載の料金支払システム。
【請求項１５】
前記第２端末装置は、前記送信された割賦支払申込用の項目に係る情報に基づいて前記購入者に対する前記割賦支払の許可又は不許可を判定する審査を行う割賦支払審査手段を備え、該割賦支払審査手段による審査結果を前記通信ネットワークを介して前記サーバ装置に送信することを特徴とする請求項１から１４のいずれか一項に記載の料金支払システム。
【請求項１６】
前記第３端末装置は、前記送信された決済代行申込用の項目に係る情報に基づいて前記購入者に対する前記決済代行の許可又は不許可を判定する審査を行う決済代行審査手段を備え、該決済代行審査手段による審査結果を前記通信ネットワークを介して前記サーバ装置に送信することを特徴とする請求項１から１５のいずれか一項に記載の料金支払システム。
【請求項１７】
前記複数の支払プランは、前記購入料金のうちの一定額を初回割賦支払額として一括で支払う支払プランを含むことを特徴とする請求項１から１６のいずれか一項に記載の料金支払システム。
【請求項１８】
前記確定手段は、前記サーバ装置に備えられ、前記支払プランを確定すると、その旨を前記第１端末装置に前記通信ネットワークを介して通知すると共に、前記商品の発注命令を出すことを特徴とする請求項１から１７のいずれか一項に記載の料金支払システム。
【請求項１９】
前記割賦支払組織は、前記決済代行組織を兼ね、
前記第２端末装置は、前記第３端末装置を兼ねることを特徴とする請求項１から１８のいずれか一項に記載の料金支払システム。
【請求項２０】
通信ネットワークを介して情報を授受可能なサーバ装置、並びに購入申込用の第１端末装置、割賦支払組織用の第２端末装置及び決済代行組織用の第３端末装置を含む料金支払システムにおける料金支払方法であって、
前記第１端末装置では、（ｉ）購入者が商品を購入する際の購入料金を、前記購入者が前記割賦支払組織を利用して割賦支払いするための支払プラン部分と（ｉｉ）前記購入者が前記商品を介して継続的に提供されるサービスを受ける際のサービス料金を、前記決済代行組織が発行し且つ前記購入者が所有するクレジットカードを利用して決済代行支払いするための支払プラン部分との組合せからなる支払プランを夫々示す複数の支払プラン情報のうち所望のものの入力を促すと共に、前記購入者についての所定種類の個人情報及び前記クレジットカードのカード番号情報の入力を促す入力工程が実行され、
前記サーバ装置及び前記第１端末装置のうち少なくとも一方では、
前記入力工程により入力された情報中から、（ｉ）少なくとも前記個人情報及び前記支払プラン情報の一部を含む予め設定された割賦支払申込用の項目に係る情報と（ｉｉ）少なくとも前記個人情報、前記支払プラン情報及び前記カード番号情報の一部を含む予め設定された決済代行申込用の項目に係る情報とを分けて抽出する処理工程と、
前記抽出された割賦支払申込用の項目に係る情報を前記第２末装置に通信ネットワークを介して送信すると共に前記抽出された決済代行申込用の項目に係る情報を前記第３端末装置に通信ネットワークを介して送信し、前記送信された割賦支払申込用の項目に係る情報に対応して前記第２端末装置から前記通信ネットワークを介して送信される割賦支払の許可又は不許可を示す割賦支払審査結果情報を受信すると共に前記送信された決済代行申込用の項目に係る情報に対応して前記第３端末装置から前記通信ネットワークを介して送信される決済代行の許可又は不許可を示す決済代行審査結果情報を受信する通信工程と、
前記受信された割賦支払審査結果情報及び決済代行審査結果情報に基づいて、前記入力された支払プラン情報により示される支払プランを確定する確定工程と
が実行されることを特徴とする料金支払方法。
【請求項２１】
（ｉ）購入者が商品を購入する際の購入料金を、前記購入者が前記割賦支払組織を利用して割賦支払いするための支払プラン部分と（ｉｉ）前記購入者が前記商品を介して継続的に提供されるサービスを受ける際のサービス料金を、前記決済代行組織が発行し且つ前記購入者が所有するクレジットカードを利用して決済代行支払いするための支払プラン部分との組合せからなる支払プランを夫々示す複数の支払プラン情報のうち所望のものの入力を促すと共に、前記購入者についての所定種類の個人情報及び前記クレジットカードのカード番号情報の入力を促す入力手段を備えた購入申込用の第１端末装置、割賦支払組織用の第２端末装置及び決済代行組織用の第３端末装置との間で通信ネットワークを介して情報を授受可能なサーバ装置であって、
前記入力手段を介して入力された情報中から、（ｉ）少なくとも前記個人情報及び前記支払プラン情報の一部を含む予め設定された割賦支払申込用の項目に係る情報と（ｉｉ）少なくとも前記個人情報、前記支払プラン情報及び前記カード番号情報の一部を含む予め設定された決済代行申込用の項目に係る情報とを分けて抽出する処理手段と、
前記抽出された割賦支払申込用の項目に係る情報を前記第２末装置に通信ネットワークを介して送信すると共に前記抽出された決済代行申込用の項目に係る情報を前記第３端末装置に通信ネットワークを介して送信し、前記送信された割賦支払申込用の項目に係る情報に対応して前記第２端末装置から前記通信ネットワークを介して送信される割賦支払の許可又は不許可を示す割賦支払審査結果情報を受信すると共に前記送信された決済代行申込用の項目に係る情報に対応して前記第３端末装置から前記通信ネットワークを介して送信される決済代行の許可又は不許可を示す決済代行審査結果情報を受信する通信手段と、
前記受信された割賦支払審査結果情報及び決済代行審査結果情報に基づいて、前記入力された支払プラン情報により示される支払プランを確定する確定手段と
を備えたことを特徴とするサーバ装置。
【請求項２２】
（ｉ）購入者が商品を購入する際の購入料金を、前記購入者が前記割賦支払組織を利用して割賦支払いするための支払プラン部分と（ｉｉ）前記購入者が前記商品を介して継続的に提供されるサービスを受ける際のサービス料金を、前記決済代行組織が発行し且つ前記購入者が所有するクレジットカードを利用して決済代行支払いするための支払プラン部分との組合せからなる支払プランを夫々示す複数の支払プラン情報のうち所望のものの入力を促すと共に、前記購入者についての所定種類の個人情報及び前記クレジットカードのカード番号情報の入力を促す入力手段を備えた購入申込用の第１端末装置、割賦支払組織用の第２端末装置及び決済代行組織用の第３端末装置との間で通信ネットワークを介して情報を授受可能なサーバ装置における料金支払処理方法であって、
前記入力手段を介して入力された情報中から、（ｉ）少なくとも前記個人情報及び前記支払プラン情報の一部を含む予め設定された割賦支払申込用の項目に係る情報と（ｉｉ）少なくとも前記個人情報、前記支払プラン情報及び前記カード番号情報の一部を含む予め設定された決済代行申込用の項目に係る情報とを分けて抽出する処理工程と、
前記抽出された割賦支払申込用の項目に係る情報を前記第２末装置に通信ネットワークを介して送信すると共に前記抽出された決済代行申込用の項目に係る情報を前記第３端末装置に通信ネットワークを介して送信し、前記送信された割賦支払申込用の項目に係る情報に対応して前記第２端末装置から前記通信ネットワークを介して送信される割賦支払の許可又は不許可を示す割賦支払審査結果情報を受信すると共に前記送信された決済代行申込用の項目に係る情報に対応して前記第３端末装置から前記通信ネットワークを介して送信される決済代行の許可又は不許可を示す決済代行審査結果情報を受信する通信工程と、
前記受信された割賦支払審査結果情報及び決済代行審査結果情報に基づいて、前記入力された支払プラン情報により示される支払プランを確定する確定工程と
を備えたことを特徴とする料金支払処理方法。
【請求項２３】
コンピュータを請求項１から１９のいずれか一項に記載の料金支払システムを構成する前記サーバ装置、前記第１端末装置、前記第２端末装置及び前記第３端末装置のうち少なくとも一つとして機能させることを特徴とするコンピュータプログラム。
【請求項２４】
コンピュータを請求項２１に記載のサーバ装置として機能させることを特徴とするコンピュータプログラム。
【請求項２５】
コンピュータを請求項１から１９のいずれか一項に記載の料金支払システムを構成する前記サーバ装置、前記第１端末装置、前記第２端末装置及び前記第３端末装置のうち少なくとも一つとして機能させるコンピュータプログラムが記録されたことを特徴とする記録媒体。
【請求項２６】
コンピュータを請求項２１に記載のサーバ装置として機能させるコンピュータプログラムが記録されたことを特徴とする記録媒体。
【発明の詳細な説明】
【０００１】
【発明の属する技術分野】
本発明は、例えば通信機器等の各種商品の購入料金と、その購入後にこの商品を介して継続的に提供される、例えば通信サービス等の各種サービスに対するサービス料金との両者が必要になる当該商品及びサービスについての、サーバ装置及び通信ネットワークを用いた料金支払システム及び方法の技術分野に属する。本発明は更に、このようなサーバ装置及びこれを用いた料金支払処理システム並びに、このような料金支払システムやサーバ装置を実現するためのコンピュータプログラムの技術分野に属する。
【０００２】
【従来の技術】
従来、商品或いは商品本体を割賦支払（ローン）で購入する場合、これを店頭販売する販売員又は自宅等にて購入する購入者が、店頭に置かれたコンピュータ機器や自宅に置かれた或いは持ち運び可能なコンピュータ機器で、通信ネットワークを介して購入申込可能に構成された料金支払システムがある。より具体的には、例えばコンピュータ機器の画面に表示される購入申込フォームの入力欄に対して、キーボード等を用いて、氏名、住所、年齢、引落銀行口座、商品名、商品番号等をデータ入力することで、申込書を電子的に作成し、更にこれを通信ネットワークを介してデータ送信する。これを受けて、ローン会社等の割賦支払組織では、割賦支払の審査（例えば、信用調査、借入金調査、年収調査等）を行ったり、その結果を郵送、電子メール等で通知したりする。
【０００３】
他方、商品としての携帯電話、ネット接続可能なコンピュータ機器、車載用の通信ナビゲーション装置等を介して提供される情報提供サービスやネットワーク接続サービスなど、商品を介して何らかのサービスが提供される場合に、商品購入と共に或いは商品購入と相前後して、通信ネットワークを介してサービス契約申込可能に構成された料金支払システムがある。より具体的には、例えばコンピュータ機器の画面に表示されるサービス契約申込フォームの入力欄に対して、キーボード等を用いて、氏名、住所、年齢、クレジットカード番号、サービスの種類等をデータ入力することで、申込書を電子的に作成し、更にこれを通信ネットワークを介してデータ送信する。これを受けて、クレジット会社等の決済代行組織では、決済代行の審査（例えば、クレジットカードの本人確認、残高照会、支払実績調査等）を行ったり、その結果を郵送、電子メール等で通知したりする。
【０００４】
このような割賦支払等を通信ネットワーク上で行う技術としては、例えば、特開２００２−１１７２８９号公報に、ネット販売において、割賦販売例などを提示する技術が開示されている。特開平２００２−０５６２９２号公報に、携帯電話等をリース又は割賦販売にして、携帯電話販売会社では、購入者の情報の信頼性を確保する技術が開示されている。特開平２００１−２５６４０８号公報、特開平１１−２９６５８０号公報等に、ネット販売において、商品販売サーバ、クレジット会社サーバとの間の取引内容を規定する技術が開示されている。
【０００５】
【発明が解決しようとする課題】
しかしながら、上述した従来の料金支払システムによれば、店頭或いは自宅のパソコン等のキーボードから、割賦支払組織に対する割賦支払申込用のデータ入力を行い、これとは別に、決済代行組織に対する決済代行申込用のデータ入力を行う必要がある。この際特に、例えば氏名、年齢、住所、電話番号等の両方のデータ入力に共通する情報についても別々のフォームにてデータ入力する必要がある。このため、全体として、入力操作量が多くなる或いは入力操作が煩雑化すると共に、入力データ量やデータ処理量が比較的多くなってしまい、冗長的で非効率なデータ処理やデータ管理などを、コンピュータ機器等で実行せざるを得ないという技術的問題点がある。更に、商品料金とサービス料金とが別々であるが故に、割賦支払で商品購入後に決済代行でサービスを受けた場合に、結局のところ総合的なランニングコストが幾らになるのかを一見で把握するのは困難である。このため、購入者側は、購入に踏み切るか否かの判断に迷い、購買意欲が減退してしまうという問題点もある。
【０００６】
本発明は、上記課題に鑑みなされたものであり、例えば通信機器等の各種商品の購入料金と、その購入後にこの商品を介して継続的に提供される、例えば通信サービス等の各種サービスに対するサービス料金との両者が必要になる当該商品及びサービスについての、料金支払い或いは料金徴収に係るデータ処理をサーバ装置及び通信ネットワークを用いて効率的に実行可能な料金支払システム及び方法、このようなサーバ装置及びこれを用いた料金支払処理システム並びに、このような料金支払システムやサーバ装置を実現するためのコンピュータプログラム及びこれが記録された記録媒体を提供することを課題とする。
【０００７】
【課題を解決するための手段】
本発明の請求項１に記載の料金支払システムは上記課題を解決するために、通信ネットワークを介して情報を授受可能なサーバ装置、並びに購入申込用の第１端末装置、割賦支払組織用の第２端末装置及び決済代行組織用の第３端末装置を含む料金支払システムであって、前記第１端末装置は、（ｉ）購入者が商品を購入する際の購入料金を、前記購入者が前記割賦支払組織を利用して割賦支払いするための支払プラン部分と（ｉｉ）前記購入者が前記商品を介して継続的に提供されるサービスを受ける際のサービス料金を、前記決済代行組織が発行し且つ前記購入者が所有するクレジットカードを利用して決済代行支払いするための支払プラン部分との組合せからなる支払プランを夫々示す複数の支払プラン情報のうち所望のものの入力を促すと共に、前記購入者についての所定種類の個人情報及び前記クレジットカードのカード番号情報の入力を促す入力手段を備えており、前記サーバ装置及び前記第１端末装置のうち少なくとも一方は、前記入力手段を介して入力された情報中から、（ｉ）少なくとも前記個人情報及び前記支払プラン情報の一部を含む予め設定された割賦支払申込用の項目に係る情報と（ｉｉ）少なくとも前記個人情報、前記支払プラン情報及び前記カード番号情報の一部を含む予め設定された決済代行申込用の項目に係る情報とを分けて抽出する処理手段と、前記抽出された割賦支払申込用の項目に係る情報を前記第２末装置に通信ネットワークを介して送信すると共に前記抽出された決済代行申込用の項目に係る情報を前記第３端末装置に通信ネットワークを介して送信し、前記送信された割賦支払申込用の項目に係る情報に対応して前記第２端末装置から前記通信ネットワークを介して送信される割賦支払の許可又は不許可を示す割賦支払審査結果情報を受信すると共に前記送信された決済代行申込用の項目に係る情報に対応して前記第３端末装置から前記通信ネットワークを介して送信される決済代行の許可又は不許可を示す決済代行審査結果情報を受信する通信手段と、前記受信された割賦支払審査結果情報及び決済代行審査結果情報に基づいて、前記入力された支払プラン情報により示される支払プランを確定する確定手段とを備える。
【０００８】
本発明の請求項２０に記載の料金支払システムは上記課題を解決するために、通信ネットワークを介して情報を授受可能なサーバ装置、並びに購入申込用の第１端末装置、割賦支払組織用の第２端末装置及び決済代行組織用の第３端末装置を含む料金支払システムにおける料金支払方法であって、前記第１端末装置では、（ｉ）購入者が商品を購入する際の購入料金を、前記購入者が前記割賦支払組織を利用して割賦支払いするための支払プラン部分と（ｉｉ）前記購入者が前記商品を介して継続的に提供されるサービスを受ける際のサービス料金を、前記決済代行組織が発行し且つ前記購入者が所有するクレジットカードを利用して決済代行支払いするための支払プラン部分との組合せからなる支払プランを夫々示す複数の支払プラン情報のうち所望のものの入力を促すと共に、前記購入者についての所定種類の個人情報及び前記クレジットカードのカード番号情報の入力を促す入力工程が実行され、前記サーバ装置及び前記第１端末装置のうち少なくとも一方では、前記入力工程により入力された情報中から、（ｉ）少なくとも前記個人情報及び前記支払プラン情報の一部を含む予め設定された割賦支払申込用の項目に係る情報と（ｉｉ）少なくとも前記個人情報、前記支払プラン情報及び前記カード番号情報の一部を含む予め設定された決済代行申込用の項目に係る情報とを分けて抽出する処理工程と、前記抽出された割賦支払申込用の項目に係る情報を前記第２末装置に通信ネットワークを介して送信すると共に前記抽出された決済代行申込用の項目に係る情報を前記第３端末装置に通信ネットワークを介して送信し、前記送信された割賦支払申込用の項目に係る情報に対応して前記第２端末装置から前記通信ネットワークを介して送信される割賦支払の許可又は不許可を示す割賦支払審査結果情報を受信すると共に前記送信された決済代行申込用の項目に係る情報に対応して前記第３端末装置から前記通信ネットワークを介して送信される決済代行の許可又は不許可を示す決済代行審査結果情報を受信する通信工程と、前記受信された割賦支払審査結果情報及び決済代行審査結果情報に基づいて、前記入力された支払プラン情報により示される支払プランを確定する確定工程とが実行される。
【０００９】
本発明の請求項２１に記載のサーバ装置は上記課題を解決するために、（ｉ）購入者が商品を購入する際の購入料金を、前記購入者が前記割賦支払組織を利用して割賦支払いするための支払プラン部分と（ｉｉ）前記購入者が前記商品を介して継続的に提供されるサービスを受ける際のサービス料金を、前記決済代行組織が発行し且つ前記購入者が所有するクレジットカードを利用して決済代行支払いするための支払プラン部分との組合せからなる支払プランを夫々示す複数の支払プラン情報のうち所望のものの入力を促すと共に、前記購入者についての所定種類の個人情報及び前記クレジットカードのカード番号情報の入力を促す入力手段を備えた購入申込用の第１端末装置、割賦支払組織用の第２端末装置及び決済代行組織用の第３端末装置との間で通信ネットワークを介して情報を授受可能なサーバ装置であって、前記入力手段を介して入力された情報中から、（ｉ）少なくとも前記個人情報及び前記支払プラン情報の一部を含む予め設定された割賦支払申込用の項目に係る情報と（ｉｉ）少なくとも前記個人情報、前記支払プラン情報及び前記カード番号情報の一部を含む予め設定された決済代行申込用の項目に係る情報とを分けて抽出する処理手段と、前記抽出された割賦支払申込用の項目に係る情報を前記第２末装置に通信ネットワークを介して送信すると共に前記抽出された決済代行申込用の項目に係る情報を前記第３端末装置に通信ネットワークを介して送信し、前記送信された割賦支払申込用の項目に係る情報に対応して前記第２端末装置から前記通信ネットワークを介して送信される割賦支払の許可又は不許可を示す割賦支払審査結果情報を受信すると共に前記送信された決済代行申込用の項目に係る情報に対応して前記第３端末装置から前記通信ネットワークを介して送信される決済代行の許可又は不許可を示す決済代行審査結果情報を受信する通信手段と、前記受信された割賦支払審査結果情報及び決済代行審査結果情報に基づいて、前記入力された支払プラン情報により示される支払プランを確定する確定手段とを備える。
【００１０】
本発明の請求項２２に記載の料金支払処理方法は上記課題を解決するために、（ｉ）購入者が商品を購入する際の購入料金を、前記購入者が前記割賦支払組織を利用して割賦支払いするための支払プラン部分と（ｉｉ）前記購入者が前記商品を介して継続的に提供されるサービスを受ける際のサービス料金を、前記決済代行組織が発行し且つ前記購入者が所有するクレジットカードを利用して決済代行支払いするための支払プラン部分との組合せからなる支払プランを夫々示す複数の支払プラン情報のうち所望のものの入力を促すと共に、前記購入者についての所定種類の個人情報及び前記クレジットカードのカード番号情報の入力を促す入力手段を備えた購入申込用の第１端末装置、割賦支払組織用の第２端末装置及び決済代行組織用の第３端末装置との間で通信ネットワークを介して情報を授受可能なサーバ装置における料金支払処理方法であって、前記入力手段を介して入力された情報中から、（ｉ）少なくとも前記個人情報及び前記支払プラン情報の一部を含む予め設定された割賦支払申込用の項目に係る情報と（ｉｉ）少なくとも前記個人情報、前記支払プラン情報及び前記カード番号情報の一部を含む予め設定された決済代行申込用の項目に係る情報とを分けて抽出する処理工程と、前記抽出された割賦支払申込用の項目に係る情報を前記第２末装置に通信ネットワークを介して送信すると共に前記抽出された決済代行申込用の項目に係る情報を前記第３端末装置に通信ネットワークを介して送信し、前記送信された割賦支払申込用の項目に係る情報に対応して前記第２端末装置から前記通信ネットワークを介して送信される割賦支払の許可又は不許可を示す割賦支払審査結果情報を受信すると共に前記送信された決済代行申込用の項目に係る情報に対応して前記第３端末装置から前記通信ネットワークを介して送信される決済代行の許可又は不許可を示す決済代行審査結果情報を受信する通信工程と、前記受信された割賦支払審査結果情報及び決済代行審査結果情報に基づいて、前記入力された支払プラン情報により示される支払プランを確定する確定工程とを備える。
【００１１】
本発明の請求項２３に記載のコンピュータプログラムは上記課題を解決するために、コンピュータを請求項１から１９のいずれか一項に記載の料金支払システムを構成する前記サーバ装置、前記第１端末装置、前記第２端末装置及び前記第３端末装置のうち少なくとも一つとして機能させる。
【００１２】
本発明の請求項２４に記載のコンピュータプログラムは上記課題を解決するために、コンピュータを請求項２１に記載のサーバ装置として機能させる。
【００１３】
本発明の請求項２５に記載の記録媒体は上記課題を解決するために、コンピュータを請求項１から１９のいずれか一項に記載の料金支払システムを構成する前記サーバ装置、前記第１端末装置、前記第２端末装置及び前記第３端末装置のうち少なくとも一つとして機能させるコンピュータプログラムが記録されている。
【００１４】
本発明の請求項２６に記載の記録媒体は上記課題を解決するために、コンピュータを請求項２１に記載のサーバ装置として機能させるコンピュータプログラムが記録されている。
【００１５】
本発明の作用及び他の利得は次に説明する実施の形態から明らかにされよう。
【００１６】
【発明の実施の形態】
以下、本発明の実施の形態を図面に基づいて説明する。
【００１７】
先ず本発明の実施形態の構成について図１を参照して説明する。ここに、図１は、本実施形態に係る料金支払システムのブロック図である。
【００１８】
図１に示すように、実施形態における料金支払システムは、通信ネットワーク１を介し双方向通信により情報の授受を行う、サーバ装置５０、複数の第１端末装置１０、第２端末装置２０及び第３端末装置３０を備えて構成されている。
【００１９】
本実施形態では以下に説明するように、第１端末装置１０において、入力部１０４から本発明に係る「入力手段」の一例が構成されており、出力部１０３から本発明に係る「確定プラン出力手段」及び「支払プラン候補出力手段」の一例が構成されている。サーバ装置５０において、通信部５０１から本発明に係る「通信手段」の一例が構成されており、処理部５０２から本発明に係る「処理手段」の一例が構成されており、確定部５０７から本発明に係る「確定手段」の一例が構成されており、支払プラン情報提供部５０６から本発明に係る「支払プラン情報提供手段」の一例が構成されている。更に、第２端末装置２０において、割賦支払審査部２０８から本発明に係る「割賦支払審査手段」の一例が構成されており、第３端末装置３０において、決済代行審査部３０８から本発明に係る「決済代行審査手段」の一例が構成されている。
【００２０】
通信ネットワーク１は、有線無線を問わず、専用回線、一般回線、電話回線等の各種の通信回線等を含んでなる通信網から構成されている。
【００２１】
第１端末装置１０は、購入申込用の、例えばパーソナルコンピュータ、モバイルコンピュータ、ターミナル装置、パソコン通信機能付きの携帯電話等からなる。第１端末装置１０は、購入者や販売員が購入申込を行う、例えばカーショップなどの店頭或いは店先、又は購入者の自宅に配備されている。或いは、購入者により所持されている。
【００２２】
第１端末装置１０は、例えばモデム等からなる通信部１０１と、例えばディスプレイ装置、プリンタ装置、音声出力装置等からなる出力部１０３と、例えばキーボード、マウス、タッチパネル、音声入力装置等からなる入力部１０４と、例えば光ディスク装置、半導体メモリ、ハードディスク装置等の記憶装置１０８とを備える。更に、これらを制御する例えばＣＰＵ等を含んでなる制御部１０２を備えて構成されている。制御部１０２は、記憶装置１０８に予め記憶されたコンピュータプログラム若しくは、記憶装置１０８に装着される記録媒体を介して又は通信部１０１によりダウンロードされたコンピュータプログラムによって、以下に説明するように第１端末装置１０における各種動作を制御する。
【００２３】
第２端末装置２０は、割賦支払申込用の、例えば大型又は中型コンピュータ、ワークステーション、パーソナルコンピュータ等からなる。第２端末装置２０は、例えばローン会社などの割賦支払組織に配備される。第２端末装置２０は、例えばモデム等からなる通信部２０１と、例えばＣＰＵ、メモリ等からなる割賦支払審査部２０８とを備える。
【００２４】
第３端末装置３０は、決済代行申込用の、例えば大型又は中型コンピュータ、ワークステーション、パーソナルコンピュータ等からなる。第３端末装置３０は、例えばクレジット会社などの決済代行組織に配備される。第３端末装置３０は、例えばモデム等からなる通信部３０１と、例えばＣＰＵ、メモリ等からなる割賦支払審査部３０８とを備える。
【００２５】
サーバ装置５０は、例えば大型又は中型コンピュータ、ワークステーション、パーソナルコンピュータ等からなる。サーバ装置５０は、商品とサービスとを組み合わせて販売する販売組織に配備される。例えば、このような販売組織は、（ｉ）通信ナビゲーション装置、携帯電話、モバイル通信機器、ＡＶ（音響映像）機器、パソコン等のハードウエアからなる各種商品と、（ｉｉ）情報提供サービス、コンピュータプログラム提供サービス等のソフトウエア提供など、該商品を介して継続的に提供されるサービスを組み合わせて販売する。即ち、本実施形態における商品とは、商品単体で機能するだけでなく、通信回線提供会社、情報提供会社、コンテンツ或いはソフトウエア提供会社、プロバイダ等による各種サービスが提供されることで、その機能を十分に発揮する類のものである。また、本実施形態における「継続的に提供されるサービス」とは、連続的、断続的、間欠的、定期的、不定期的の別を問わず、例えば複数年単位、複数月単位、複数週単位など、長期に亘って提供されるサービスを意味する。
【００２６】
サーバ装置５０は、例えばモデム等からなる通信部５０１と、ＣＰＵ、メモリ等からなる処理部５０２と、例えば大容量の光ディスク装置、ハードディスク装置等からなるデータベース５０５と、例えばＣＰＵ、メモリ等からなる支払プラン情報提供部５０６と、例えばＣＰＵ、メモリ等からなる確定部５０７と、例えば、ＲＡＭ、ＲＯＭ等からなる記憶装置５０８とを備えて構成されている。尚、処理部５０２、支払プラン情報提供部５０６及び確定部５０７は、同一のＣＰＵ或いはコントローラにより論理的に構築してもよいし、別個のＣＰＵ或いはコントローラにより構築してもよい。
【００２７】
本実施形態では特に、第１端末装置１０側では、制御部１０２による制御下で、出力部１０３は、（ｉ）購入者が商品を購入する際の購入料金を、購入者が割賦支払組織を利用して割賦支払いするための支払プラン部分と（ｉｉ）購入者が商品を介して継続的に提供されるサービスを受ける際のサービス料金を、決済代行組織が発行し且つ購入者が所有するクレジットカードを利用して決済代行支払いするための支払プラン部分との組合せからなる支払プランを夫々示す複数の支払プラン情報を、例えばディスプレイ画面上に映像出力するように構成されている。或いは、出力部１０３は、このようなディスプレイ画面上の映像出力に加えて又は代えて、複数の支払プラン情報を、紙面上に出力したり、音声出力するように構成されている。入力部１０４は、このように出力部１０３により候補として出力された複数の支払プラン情報のうち、所望のものの入力或いは選択を促すと共に、購入者についての所定種類の個人情報及びクレジットカードのカード番号情報の入力を促すように構成されている。
【００２８】
本実施形態では好ましくは、出力部１０３は、サーバ装置５０側に設けられた支払プラン情報提供部５０６から通信ネットワーク１を介して提供される複数の支払プラン情報を、所定フォーマットで出力する支払プラン出力部として機能する。このような複数の支払プラン情報は、サーバ装置５０を有する販売組織における経営戦略、販売戦略に従って、適宜更新され、支払プラン情報提供部５０６から、例えば全国各地或いは世界各地に配備された複数の第１通信端末１０に提供される。このようにすれば、出力部１０３によって、複数の支払プラン情報が、選択可能な候補としてリスト形式、表形式など所定フォーマットで表示等可能となり、購入者等は画面等を介して視覚的に極めて容易に支払プラン情報を認識できる。そして、より好ましくは、このような支払プラン情報を画像出力する出力部１０３は、ディスプレイ装置からなり、その画面上で、入力部１０４によるアイコン操作等によって、これら提供された複数の支払プラン情報うち所望のものを選択入力可能に構成される。これにより、操作が一層分かりやすいものとなる。
【００２９】
但し、このような支払プラン出力部として機能する出力部１０３は、ディスプレイ装置に代えて又は加えてプリンタ装置から構成されてもよい。この場合には、紙面上にリスト形式や表形式で印刷出力された支払プラン情報を見て、購入者等は、所望の支払プランを選択或いは入力できる。更に、このような出力部１０３は、このようなディスプレイ装置やプリンタ装置に代えて又は加えて音声出力装置を含んで構成してもよい。この場合には、合成音声や録音音声を用いて音声出力された支払プラン情報を聞いて、購入者等は、所望の支払プランを選択できる。
【００３０】
いずれの場合にも、入力部１０４は、出力部１０３により出力された複数の支払プラン情報中のいずれかの選択を促すように構成すると、所望の支払プラン情報の入力操作が容易となる。
【００３１】
入力部１０４では、このような支払プラン情報の入力或いは選択に加えて、購入者等（但し、この段階では、購入希望者又は申込者若しくはこれを接客する販売員）の個人情報の入力を促す。例えば、購入者の氏名、年齢、住所、郵便番号、電話番号、ｅメールアドレス、勤務先、職業、年収等の個人情報欄、クレジットカード番号の番号欄、購入したい商品番号や商品名等の商品欄を含む一つの入力フォームが、出力部１０３を構成するディスプレイ装置の画面上に表示され、これに対するデータ入力が、キーボード等の入力部１０４を介して、購入者或いは販売員によって行われるように構成されている。
【００３２】
他方、サーバ装置５０側では、入力部１０４を介して入力され且つ通信部１０１から送信された支払プラン情報、個人情報、カード番号情報を含む情報を、通信ネットワーク１を介して通信部５０１で受信する。そして、処理部５０２は、通信部５０１で受信した情報中から、（ｉ）少なくとも個人情報及び支払プラン情報の一部を含む予め設定された割賦支払申込用の項目に係る情報と（ｉｉ）少なくとも個人情報、支払プラン情報及びカード番号情報の一部を含む予め設定された決済代行申込用の項目に係る情報とを分けて抽出するように構成されている。
【００３３】
本実施形態では、サーバ装置５０は、これらの通信部５０１で受信された個人情報、支払プラン情報及びカード番号情報を、データベース５０５に登録するように構成されている。そこで、処理部５０１は、データベース５０５に登録される情報中から、又はデータベース５０５に登録された情報中から、割賦支払申込用の項目に係る情報と、決済代行申込用の項目に係る情報とを分けて抽出するように構成されている。
【００３４】
尚、処理部５０２は、データベース５０５に登録される又は登録された情報を抽出するのに加えて、割賦支払申込用の項目に係る情報を、第２端末装置２０用のフォーマットに加工し、決済代行申込用の項目に係る情報を、第３端末装置３０用のフォーマットに加工するように構成してもよい。このように加工する前の情報を、データベース５０５に格納しておくことも可能であり、このように加工した後の情報をデータベース５０５に格納しておくことも可能である。いずれの場合にも、第１端末装置１０、第２端末装置２０及び第３端末装置３０で各種フォーマットのデータを用いることが出来るので、例えば異なるＯＳ（オペレーティングシステム）や異なる種類のアプリケーションプログラムがこれらの端末装置で用いられる場合にも、容易に対処でき便利である。但し、これらの端末装置間でデータのフォーマットや規格を統一することで、第１端末装置１０で入力されるデータをそのままの形で第２端末装置２０や第３端末装置３０で利用できるように構成することも可能である。
【００３５】
サーバ装置５０側では、処理部５０２による制御を受けて、通信部５０１は、処理部５０２により抽出或いは再構成された割賦支払申込用の項目に係る情報を、第２末装置２０に通信ネットワーク１を介して送信する。更に、これと同時に或いは相前後して、処理部５０２により抽出或いは再構成された決済代行申込用の項目に係る情報を第３端末装置３０に通信ネットワーク１を介して送信するように構成されている。
【００３６】
本実施形態では特に、第２端末装置２０では、通信ネットワーク１を介して通信部２０１で受信した割賦支払申込用の項目に係る情報に基づいて、割賦支払審査部２０８は、購入者に対する割賦支払の許可又は不許可を判定する審査を行う。このような審査は、当該受信した情報に含まれる個人情報における所定項目（年収、ローン残高等）と、購入者等により入力された所望の支払プラン情報（月々の支払額）との関係から、自動的に判定してもよい。或いは、第２端末装置２０が配備されたローン会社等の割賦支払組織が所有する当該購入者に関する他の個人情報や信用調査情報等を参照して、自動的に若しくは半自動的に又は人間の判断によって、審査を行ってもよい。そして、第２端末装置２０は、割賦支払審査部２０８による審査結果を通信ネットワーク１を介してサーバ装置５０に送信する。このように、当該料金支払システムでは、通信ネットワーク１上で、全体として割賦支払に係る審査を迅速に行える。
【００３７】
本実施形態では特に、第３端末装置３０では、通信ネットワーク１を介して通信部３０１で受信した決済代行用の項目に係る情報に基づいて、決済代行審査部３０８は、購入者に対する決済代行の許可又は不許可を判定する審査を行う。このような審査は、当該受信した情報に含まれる個人情報における所定項目（年収、クレジット残高等）と、購入者等により入力された所望の支払プラン情報（月々の支払額）との関係から、自動的に判定してもよい。或いは、第３端末装置３０が配備されたクレジット会社等の決済代行組織が所有する他の個人情報、特に過去の支払実績、滞納実績、信用調査情報等を参照して、自動的に若しくは半自動的に又は人間の判断によって、審査を行ってもよい。尚、ここでは、一般的にクレジットカード使用時に行われている本人確認等も併せて行われる。そして、第３端末装置３０は、決済代行審査部３０８による審査結果を通信ネットワーク１を介してサーバ装置５０に送信する。このように、当該料金支払システムでは、通信ネットワーク１上で、全体として決済代行に係る審査を迅速に行える。
【００３８】
サーバ装置５０側では、処理部５０２による制御を受けて、通信部５０１は、このように割賦支払申込用の項目に係る情報に対応して第２端末装置２０から通信ネットワーク１を介して送信されてくる割賦支払の許可又は不許可を示す割賦支払審査結果情報を受信する。更に、このように決済代行申込用の項目に係る情報に対応して第３端末装置３０から通信ネットワーク１を介して送信されてくる決済代行の許可又は不許可を示す決済代行審査結果情報を受信するように構成されている。
【００３９】
更に、サーバ装置５０側では、確定部５０７は、このように受信された割賦支払審査結果情報及び決済代行審査結果情報に基づいて、両審査をパスしている場合には、先に購入者又は販売員が入力した支払プラン情報により示された支払プランを、現に実践する支払プランとして確定する。そして、確定した旨を第１端末装置１０に通信ネットワーク１を介して通知する。これと同時に或いは相前後して、商品の発注命令（図１中の矢印参照）を出す。
【００４０】
このように構成すれば、確定部５０７が支払プランを確定した際には、店頭或いは自宅等にいる第１端末装置１０を操作する店頭販売員や購入者に対して、希望の支払プランが許可されたことを迅速に伝えられる。更に、オンライン或いはオフラインで、確実で遅延の無い商品発注が可能となる。
【００４１】
但し、確定部５０７は、支払プランを確定すると、サーバ装置５０側において、その旨を所定フォーマットで印刷出力、画像出力等してもよい。その後は、例えば、この出力を見た販売会社員が、郵送や電話などで購入者の自宅や販売店等に、結果を通知すればよい。更に、発注命令についても、この出力を見た販売会社員が出してもよいし、別途発注命令を示す伝票を印刷出力して、この出力を見た販売会社員が出してもよい。
【００４２】
他方で、このように受信された割賦支払審査結果情報及び決済代行審査結果情報に基づいて、いずれかの審査にパスせずに、確定部５０７により支払プランが確定されない場合には、例えば、支払プラン情報提供部５０６によって、当該購入者の個人情報等に基づいて、当該購入者に適用可能な一又は複数の支払プラン情報を第１端末装置１０に提供する。或いは、当該購入者に対して適用可能な支払プランは存在しない旨を第１端末装置１０に通知する。更に、最終的には、販売禁止の旨の情報を第１端末装置１０に通知する。
【００４３】
このように確定部５０７により確定された支払プラン情報又は確定した旨の情報は、サーバ装置５０側の通信部５０１から通信ネットワーク１を介して第１端末装置１０側の通信部１０１に送信される。第１端末装置１０側では、出力部１０３は、確定プラン出力部としても機能し、このように確定部５０７により確定され送信された支払プラン情報を、所定フォーマットで出力するように構成されている。このように構成すれば、ディスプレイ装置、プリンタ装置等からなる出力部１０３によって、確定された支払プラン情報が、画面等を介して視覚的に極めて容易且つ確実に支払プラン情報を認識できる。
【００４４】
ここで以上のように構成された料金支払システムで実行される料金支払方法について図１を参照して説明する。
【００４５】
図１において、第１端末装置１０では、入力部１０４を用いて複数の支払プラン情報のうち所望のものの入力を促すと共に、個人情報及びクレジットカードのカード番号情報等の入力を促す入力工程が実行される。他方、サーバ装置５０では、処理部５０２を用いて入力部１０４により入力された情報中から、割賦支払申込用の項目に係る情報と決済代行申込用の項目に係る情報とを分けて抽出する処理工程が実行される。更に、サーバ装置５０では、通信部５０１を用いて、抽出された割賦支払申込用の項目に係る情報を第２末装置２０に送信すると共に、抽出された決済代行申込用の項目に係る情報を第３端末装置３０に送信し、第２端末装置２０から送信される割賦支払審査結果情報を受信すると共に第３端末装置３０から送信される決済代行審査結果情報を受信する通信工程が実行される。更に、サーバ装置５０では、確定部５０７により、受信された割賦支払審査結果情報及び決済代行審査結果情報に基づいて、支払プランを確定する確定工程が実行される。
【００４６】
以上のように本実施形態によれば、店頭や自宅等で、例えば第１端末装置１０の出力部１０３に出力された支払プラン情報の中から入力部１０４を介して所望のものを選択入力するなどして、所望の支払プラン情報を入力できる。この際特に、購入者等の立場からすると、例えば一つのフォーム上におけるデータ入力など、割賦販売の申込と決済代行の申込との両者をまとめて行うことが可能となり、更に両申込に共通する情報については一回の入力で足りるようにできる。即ち、これら二種類の申込についての入力操作を容易化且つ迅速化でき、データ量、データ処理量、データ通信量等を低減できる。しかも、このようにまとめてデータ入力された情報のうち、割賦支払の審査に必要な情報は、サーバ装置５０で抽出或いは再構成されて第２端末装置２０に転送され、決済代行の審査に必要な情報は、通信ネットワーク１を介してサーバ装置５０で抽出或いは再構成されて第３端末装置３０に転送される。加えて、このように所望の支払プラン情報の示す支払プランが、割賦支払及び決済代行の観点から当該購入者に対して適用可能であるか否かの審査結果についても、通信ネットワーク１を介して、サーバ装置１が迅速且つ確実に取得することができ、これにより購入者の所望の支払プラン情報を確定したり、新たな支払プラン情報を提供したり、購入を禁止したりが可能となる。
【００４７】
本実施形態では好ましくは、割賦支払が行われる割賦期間中に支払われる金額は、購入料金及びサービス料金の両者に充てられる。その後、割賦期間の経過後に支払われる金額は、サービス料金のみに充てられる。
【００４８】
このように構成すれば、購入者の経済感覚上は、商品本体及びサービスを一体化しての例えば月々のランニングコストとして料金を支払い続ければよいと感じられ、低コスト感が得られる。更に、割賦期間経過後には、ランニングコストが低下するので、一層の経済的満足感が得られる。そして実際には、商品の購入料金は、商品購入時に、購入者の債務として発生しているので、サーバ装置５０を運用する販売組織では、当該商品販売によってそのキャッシュフローが格段に改善されるという実質的な経済的利益が得られる。尚、オプションサービスを受けるための料金は、サービス料金に加算され、支払プランの中で決済代行支払いするための支払プラン部分に組み入れられる。
【００４９】
このため本実施形態では、好ましくは、支払プラン候補出力手段としての出力部１０３は、所定フォーマットとして購入料金とサービス料金との区別がつかないフォーマットで複数の支払プラン情報を出力する。これにより、購入者は、商品購入料金とサービス料金との差異を特に意識することなく、商品及びサービスを一体化してランニングコストが幾らかかるかを基準にして、支払プランの選択を行える。
【００５０】
本実施形態では好ましくは、入力部１０４は、商品及びサービスを特定のための情報並びに割賦支払審査用の情報及び決済代行審査用の情報を網羅する、支払プラン情報、個人情報及びカード番号情報の各々について重複することなく、一つの入力フォーム上で入力可能に構成されている。
【００５１】
このように構成すれば、購入者等は、一つの入力フォームに入力操作を行うだけで、割賦販売の申込と、決済代行の申込用とを済ませられるので大変便利である。しかも、重複する情報入力を回避することによって、全体のデータ入力量を低減でき、更にこれに伴ってデータ処理量、データ通信量、データ管理量等の低減も効率的に図れる。
【００５２】
但し、入力部１０４において、割賦販売の申込用のフォームと決済代行の申込用のフォームとの二つの入力フォーム上で、支払プラン情報、個人情報及びカード番号情報を入力してもよい。この場合には、後に入力する方の入力フォーム上では、入力前から、重複する項目については入力済みの状態で出力されるように構成すればよい。いずれの場合にも、二つの入力フォーム間で重複する情報について、片方の入力操作だけで済むように構成すれば、入力操作の軽減及びデータ処理量やデータ管理量の低減の利益は相応に得られる。
【００５３】
（各種変形態様）
本実施形態では、支払プラン情報提供部５０６は、入力部１０４で入力された個人情報に基づき所定基準に従って、購入者に適用可能なの一又は複数の支払プラン情報を提供するように構成してもよい。
【００５４】
このように構成すれば、購入者等は、無駄なく、所望の支払プラン情報を選択でき、一層迅速且つ簡単な申込操作が可能となる。
【００５５】
更に、支払プラン情報提供部５０６は、デフォールトとして既に提供した支払プラン情報中に、入力された個人情報に基づき所定基準に従って購入者に適用可能なものが存在しない場合には、新たな支払プランを提供するように構成してもよい。
【００５６】
このように構成すれば、暫定的にデフォールトの支払プラン情報を提供しておき、これに対応して申込を行った購入者に係る個人情報に基づき所定基準に従って、当該購入者に適用可能な支払プランが存在する場合に、申込手続を進めることができる。他方、当該購入者に適用可能な支払プランが存在しない場合に、例えば、新たな支払プランを提供することで、当該購入者による購入の機会を簡単に逃さないようにできる。
【００５７】
一般に、審査を通らない状況では、購入申込時に現金で支払う分或いは初回に支払う金額を多くすれば、審査を通りやすくなる。そこで、例えば、割賦支払審査部２０８又は決済代行審査部３０８のどちらかの審査がパスしない場合は、商品本体の購入料金及び当初３年間のサービス料金を一括料金として初回に支払って、４年目以降は、サービス料金として定額を支払いつづけるような支払プランを再度提供するとよい。
【００５８】
このため、予めデフォールト等として支払プラン情報提供部５０６から提供される複数の支払プランは、好ましくは購入料金のうちの一定額、例えば固定額又は可変額或いは購入者の所望により決められる金額を、初回割賦支払額として一括で支払う支払プランを含む。
【００５９】
このように構成すれば、購入者が初回に多くの金額を支払いたい場合や、審査にパスし難いことが予想される場合に、当初から効率的に対処可能となる。
【００６０】
更に、入力部１０４は、支払プラン情報に関する購入者の嗜好情報を所定フォーマットで入力可能に構成されており、支払プラン情報提供部５０６は、例えば、総額、イニシャルの額、月々の額、オプションサービスの有無などの、この入力部により入力された前記購入者の嗜好情報に応じて一又は複数の支払プラン情報を提供するように構成してもよい。
【００６１】
このように構成すれば、第１端末装置１０には、嗜好情報により示される購入者の嗜好或いは好みに合った支払プラン情報が提供されるので、この中から、購入者等は、所望の支払プラン情報を快く選択でき、一層迅速且つ簡単な申込操作が可能となる。
【００６２】
更にまた、支払プラン情報提供部５０６は、（ｉ）申込件数、成約件数、問合せ件数等の各支払プランの採択実績結果と、（ｉｉ）店頭やオンラインアンケート等による支払プラン別の人気情報、ランキング情報などの各支払プランに係るアンケート結果とのうち、少なくとも一方を反映させた形で、支払プラン情報にランキングを付けて提供するように構成してもよい。これにより、出力部１０３では、例えば、「今一番人気です。」といった情報を付与した形で、支払プラン情報を映像出力してもよいし、複数の支払プラン情報をランキング順或いは人気順に並べて提供するように構成してもよい。
【００６３】
このように構成すれば、第１端末装置１０では、支払プラン間の人気格差を知った上で、購入者は安心して支払プラン情報を選択でき、一層迅速且つ簡単な申込操作が可能となる。
【００６４】
本実施形態では、第２端末装置２０が配備される割賦支払組織は、第３端末装置３０が配備される決済代行組織を兼ねてもよく、第２端末装置２０は、第３端末装置３０を兼ねてもよい。例えば、割賦支払組織及び決済代行組織は、同一会社内に存在してもよいし、第２端末装置２０及び第３端末装置３０は、同一会社内にある存在する複数のコンピュータ或いは同一コンピュータにより構築されてもよい。このようにすれば、同一会社等の統一組織により、割賦支払及び決済代行の両者を行うことが可能となり、更に社内ネットワーク化されたコンピュータ或いは同一コンピュータにより、割賦支払組織及び決済代行組織を構築できる。また、割賦支払組織及び決済代行組織間で個人情報等のデータ共有も容易となる。
【００６５】
このように両組織を一体化すれば、購入者に対する割賦支払スケジュール表や決済代行請求書などの送付や連絡を、一セットとして行うことができ、支払についての管理も一セットとして行うことができる。
【００６６】
以上説明した実施形態では、割賦費払審査用の情報や決済代行審査用の情報を抽出したり生成したりする処理部５０２並びに、第２端末装置２０に割賦費払審査用の情報を送信したり第３端末装置３０に決済代行審査用の情報を送信する通信部５０１は、サーバ装置５０に設けられている。しかしながら、このような処理部５０１及び通信部５０１における情報抽出機能や情報送信機能の少なくとも一部を、第１端末装置１０側にある制御部１０２及び通信部１０１で代用することも可能である。
【００６７】
以上図１を参照して説明した実施形態における料金支払システムは、全体としても新規であるが、そのサーバ装置５０のみをとっても新規な構成を有するものであり、更に、第１端末装置１０のみをとっても新規な構成を有するものである。また、図１に示したように、第１端末装置１０は、同様のものを多数、同一サーバ装置５０に接続すると、当該実施形態における料金支払システムの利益が一層増大する。
【００６８】
加えて、上述した実施形態に係る料金支払システムは、コンピュータを当該通信システムとして機能させるコンピュータプログラムを実行させることにより、比較的容易に実現可能である。具体的には、コンピュータを当該料金支払システムとして機能させるプログラムを、一のコンピュータに対して、ＣＤ（Ｃｏｍｐａｃｔ　Ｄｉｓｃ）、ＤＶＤ等の記録媒体からロードしたり通信ネットワーク１を介してダウンロードした後、このプログラムを実行させることによりサーバ装置５０として機能させてもよい。より具体的には、このコンピュータを上述した通信部５０１、処理部５０２、データベース５０５、支払プラン情報提供部５０６、確定部５０７、記憶装置５０８等の各種手段として機能させてもよい。他のコンピュータに対して、ＣＤ、ＤＶＤ等の記録媒体からロードしたり通信ネットワーク１を介してダウンロードした後、このプログラムを実行させることにより第１端末装置１０として機能させてもよい。より具体的には、このコンピュータを上述した通信部１０１、制御部１０２、出力部１０３、入力部１０４及び記憶装置１０８等の各種手段として機能させてもよい。例えば、第１端末装置１０では、ブラウザ機能を持ち、使用するコンピュータプログラムは概ね或いは部分的に、適宜サーバ装置５０側から提供されるように構成してもよい。
【００６９】
以上詳細に説明したように本発明の実施形態によれば、第１端末装置１０は、入力手段の一例としての入力部１０４を備えており、サーバ装置５０及び第１端末装置１０のうち少なくとも一方（本実施形態では特に、サーバ装置５０）は、処理手段の一例としての処理部５０２、通信手段の一例としての通信部５０１及び確定手段の一例としての確定部５０７を備えている。或いは、第１端末装置１０では、入力工程が実行され、サーバ装置５０及び第１端末装置１０のうち少なくとも一方（本実施形態では特に、サーバ装置５０）では、処理工程、通信工程及び確定工程が実行される。従って、各種商品の購入料金と、その購入後にこの商品を介して継続的に提供される各種サービスに対するサービス料金との両者が必要になる当該商品及びサービスについての、料金支払い或いは料金徴収に係るデータ処理を効率的に実行可能となる。
【００７０】
本実施形態におけるこのような作用、及び他の利得は次に説明する実施例から更に明らかにされる。
【００７１】
【実施例】
本発明の実施例について図２から図７を参照して説明する。ここに図２は、商品、サービス、データ等の流れを細い矢印で示すと共に、金銭の流れを白抜きの太い矢印で示した、本実施例における商品等のルートと料金回収ルートとを示す料金支払システムの概念的ブロック図である。図３は、本実施例における、購入者又はカーショップ、販売会社、ローン会社及びクレジット会社間のデータ等の授受の様子を示すシーケンスチャートである。図４は、本実施例に係る支払プラン候補出力部としてのディスプレイ装置に表示される複数の支払プラン情報の一例を示す平面図であり、図５は、ディスプレイ装置に表示される購入申込フォームの一例を示す平面図である。図６は、購入申込フォーム上で入力されたデータの流れ及びその構造変化を示す概念図であり、図７は、確定プラン出力部としてのディスプレイ装置に表示される確定プラン表示の一例を示す平面図である。
【００７２】
先ず図２を参照して、本実施例の概念的な構成について説明する。
【００７３】
本実施例では、カーショップ１０Ｓで、商品の一例たる通信ナビゲーション装置とサービスの一例たる通信ナビゲーション装置で表示可能な地図データの配信及び通信ナビゲーション装置を機能ならしめる通信回線の提供との組合せについての、展示・商談が行われる。そして、このようなハードウエアとしての通信ナビゲーション装置と、ソフトウエアとしての地図データの配信及び通信回線の提供とが、販売会社５０Ｃから購入者１０Ｕに対して直接に又はカーショップ１０Ｓを介して販売される。
【００７４】
このような環境の中で、以下に説明するように本実施例の料金支払システムを介して、購入料金及びサービス料金の支払が行われる。
【００７５】
図２において、一の第１端末装置１０が、購入者（ユーザ）１０Ｕの自宅等に配備されており、他の第１端末装置１０が、カーショップ１０Ｓの店頭、店先等に配備されている。第２端末装置２０は、割賦支払組織の一例たるローン会社２０Ｃに配備されている。第３端末装置３０は、決済代行組織の一例たるクレジット会社３０Ｃに配備されている。サーバ装置５０は、販売組織の一例たる、通信ナビゲーション装置のハードウエアとソフトウエアとを組み合わせて販売する販売会社５０Ｃに配備されている。更に、当該料金支払システムには、ハードウエア製造・提供会社６０Ｃ、地図データ作成・提供会社７０Ｃ及び電信電話会社８０Ｃが関連している。
【００７６】
次に、このような環境下で、本実施例の料金支払システムにより実行可能である、商品、サービス、データ等の流れと金銭の流れとを図２を参照して順を追って説明する。
【００７７】
先ず矢印Ｚ１に示すように、販売会社５０Ｃからカーショップ１０Ｓに対して、商品及びサービスについての展示・商談の依頼が行われる。これと同時に又は相前後して、矢印Ｙ０に示すように、販売会社５０Ｃからカーショップ１０Ｓに対して、展示・商談の手数料が固定又は歩合制等で支払われる。
【００７８】
これを受けて、矢印Ｚ２に示すように、カーショップ１０Ｓから購入者１０Ｕに対して、商品及びサービスについての展示・商談が行われる。
【００７９】
購入者１０Ｕが自宅等にて購入の意思決定をすると、又はカーショップ１０Ｓにて商談が成立すると、矢印Ｚ３に示すように、第１端末装置１０を介して、所望の支払プランによる購入申込が行われる。具体的には、図１を参照して説明した実施形態の如くに、第１端末装置１０からサーバ装置５０へのデータ送信が行われる。
【００８０】
これを受けて、ローン会社２０Ｃ及びクレジット会社３０Ｃによる審査を経て支払プランが確定した後に、矢印Ｚ４に示すように、ハードウエア製造・提供会社６０Ｃから販売会社５０Ｃに対して、商品たる通信ナビゲーション装置の出荷が行われる。これと並行して、矢印Ｚ５に示すように、地図データ作成・提供会社７０Ｃから販売会社５０Ｃに対して、サービスたる地図データの配信権の提供が行われ、矢印Ｚ６に示すように、電信電話会社８０Ｃから販売会社５０Ｃに対して、サービスたる通信回線の使用権の提供が行われる。
【００８１】
続いて、矢印Ｚ７に示すように、販売会社５０Ｃから購入者１０Ｕに対して、通信ナビゲーション装置の配送が行われ、矢印Ｚ８に示すように、販売会社５０Ｃから購入者１０Ｕに対して、地図データの配信サービスが行われ、矢印Ｚ９に示すように、販売会社５０Ｃから購入者１０Ｕに対して、通信回線の提供サービスが行われる。尚、矢印Ｚ８及びＺ９に示した地図データの配信サービス及び通信回線の提供サービスは、その後も、例えば数ヶ月や数年間に渡って継続的に行われるものである。
【００８２】
ここで通信ナビゲーション装置の割賦支払による購入に対応して、矢印Ｙ１に示すように、ローン会社２０Ｃから販売会社５０Ｃに対して、通信ナビゲーションの本体価格分が全額支払われる。これと相前後して、矢印Ｙ２に示すように、販売会社５０Ｃからハードウエア製造・提供会社６０Ｃに対して、通信ナビゲーションの本体価格分の仕入れ額が支払われる。
【００８３】
その後、矢印Ｙ３に示すように、購入者１０Ｕからローン会社２０Ｃに対して、通信ナビゲーションの本体価格分の購入料金を構成する割賦支払の初回分の支払が行われる。これと概ね同時期に又は相前後して、矢印Ｙ４に示すように、購入者１０Ｕからクレジット会社３０Ｃに対して、地図データの配信サービス及び通信回線の提供サービスに対するサービス料金の支払が、例えば毎月など定期的に行われる。この支払は、これらのサービスが提供され続ける限り、半永久的に行われる。
【００８４】
このクレジット会社３０Ｃに支払われる料金は、徴収手数料を差引いた後に、矢印Ｙ５に示すように、クレジット会社３０Ｃから販売会社５０Ｃに対して、行われる。
【００８５】
その後矢印Ｙ６に示すように、購入者１０Ｕからローン会社２０Ｃに対して、通信ナビゲーションの本体価格分の購入料金を構成する割賦支払の２回目以降分の支払が、例えば３年間に亘って定期的に所定回数だけ行われる。この際、ボーナス時の増額支払が行われてもよい。これに対応して、矢印Ｙ７に示すように、販売会社５０Ｃから地図データ作成・提供会社に対して、地図データの提供料が支払われ、矢印Ｙ８に示すように、販売会社５０Ｃから電信電話会社に対して、通信回線の提供料が支払われる。
【００８６】
尚、矢印Ｚ２に示すように、カーショップ１０Ｓから購入者１０Ｕに対して、展示・商談に加えて、通信ナビゲーション装置の取り付けサービスが提供されてもよく、この場合には、矢印Ｙ１０に示すように、購入者１０Ｕからカーショップ１０Ｓに対して取り付け工賃が直接支払われる。
【００８７】
次に、このような料金支払方法を可能ならしめるに、通信ネットワークを介してデータが授受される様子について、図３のシーケンスチャートに沿って説明する。ここに、図３のシーケンスチャートは、購入者１０Ｕ又はカーショップ１０Ｓ、販売会社５０Ｃ、ローン会社２０Ｃ及びクレジット会社３０Ｃ夫々の動作、並びにそれらの間の動作を時間の流れを追って示している。横のラインは相互の関係、上から下に向かう縦のラインは時間の経過を示している。
【００８８】
図３において先ず、購入者１０Ｕ又はカーショップ１０Ｓでは、第１端末装置１０において、例えば図４に示したような、出力部１０３に表示される複数の支払プラン情報のうち所望のものが入力部１０４によって選択入力される。或いは、図４の如きチラシやポスターを見た購入者や店員によって、所望の支払プラン情報が入力される。
【００８９】
更に、例えば図５に示したように、出力部１０３の表示画面１０３ａに購入申込フォーム４００が表示された状態で、個人情報入力欄４０１に、氏名、住所、郵便番号、電話番号、ｅメールアドレス、職業等の個人情報が入力部１０４を用いて入力され、商品情報入力欄４０２に、商品名、商品番号等の商品情報が入力部１０４を用いて入力され、割賦支払情報入力欄４０４に、引落銀行名、銀行口座番号、口座名義等の個人情報が入力部１０４を用いて入力され、クレジット番号情報入力欄４０５にクレジット番号等のクレジット番号情報が入力部１０４を用いて入力される（ステップＳ１１）。
【００９０】
再び図３において、このように入力された各種情報は、通信ネットワーク１を介して販売会社５０Ｃに備えられたサーバ装置５０に送信され、データベース５０５に購入者別に登録される。即ち、この段階で、ユーザ登録が暫定的になされる（ステップＳ１２）。
【００９１】
更に、このようにデータベース５０５に登録された情報中から、決済代行審査用の情報が抽出又は再構成され、且つ割賦支払審査用の情報が抽出又は再構成される。
【００９２】
続いて、クレジット会社３０Ｃ及びローン会社２０Ｃに対する審査依頼が行われる（ステップＳ１３）。具体的には、クレジット会社３０Ｃに配備された第３端末装置３０に対して、サーバ装置５０から、個人情報の一部及びクレジットカード番号情報を少なくとも含む決済代行審査用の情報が、審査依頼を示す情報と共に送信される。更に、これと並行して或いは相前後してローン会社２０Ｃに配備された第２端末装置２０に対して、サーバ装置５０から、個人情報の一部及び支払プラン情報を少なくとも含む割賦支払審査用の情報が、審査依頼を示す情報と共に送信される。
【００９３】
本実施例では特に、図６に示したように、ステップＳ１１において第１端末装置１０側で入力部１０４を用いて入力された購入申込用入力データＤ１は、サーバ装置５０側で処理部５０２による抽出処理或いは再構成処理によって、割賦支払審査用の情報データＤ２と決済代行審査用の情報データＤ３とに分けられる。ここで、割賦支払審査用の情報データＤ２と決済代行審査用の情報データＤ３とは、図６中ハッチング領域で概念的に示すように、個人情報の少なくとも一部において共通である。このため、割賦支払申込と決済代行申込とを別個に行っていた場合と比較して、処理部５０２にて、このように分けられるまでの期間におけるデータ入力量、データ送信量、データ登録量等を顕著に低減できる。特に、ステップＳ１１における購入申込用データＤ１の入力操作は、操作に不慣れな購入者等が行う場合も多く、第１端末装置１０を構築するコンピュータ能力の高さによらずに、通常は労力を多分に要する操作となる。このため、本実施例の如く割賦支払申込と決済代行申込との間で重複するデータについては、入力を省略できると共に、自動的に割賦支払審査用の情報データＤ２と決済代行審査用の情報データＤ３とを、サーバ装置５０側で抽出或いは再構成することは実践上大変有益である。尚、図６に示した処理部５０２は、フォーマット変換を行ってもよいことは前述の通りである。
【００９４】
再び図３において、ステップＳ１３の審査依頼を受けて、クレジット会社３０Ｃに配備された第３端末装置３０では、決済代行の可否を判定する審査が、サーバ装置５０から送信された情報に基づいて、決済代行審査部３０８により実行される（ステップＳ１４）。他方、これと並行して或いは相前後して、ローン会社２０Ｃに配備された第２端末装置２０では、割賦支払の可否を判定する審査が、サーバ装置５０から送信された情報に基づいて、割賦支払審査部２０８により実行される（ステップＳ１５）。
【００９５】
その後、割賦支払の可否を示す審査結果が、ローン会社２０Ｃに配備された第２端末装置２０から、販売会社５０Ｃに配備されたサーバ装置５０に対して、通達される（ステップＳ１６）。これと並行して或いは相前後して、決済代行の可否を示す審査結果が、クレジット会社３０Ｃに配備された第３端末装置３０から、販売会社５０Ｃに配備されたサーバ装置５０に対して通達される（ステップＳ１７）。
【００９６】
販売会社５０Ｃに配備されたサーバ装置５０では、これらの審査結果に基づいて、確定部５０７により支払プランの確定を行う（ステップＳ１８）。
【００９７】
尚、個々の商品属性、購入者個人の状況によっては、例えば数日や数週間など審査に時間がかかる場合もあるが、本実施形態では好ましくは、通信ネットワーク１上に構築された上述の如きシステム構成を利用して、数秒若しくは数分から数十分といった短時間で、申込から支払プランの確定までが完了する。但し、本実施例は、審査に長時間を要する場合にも、相応の効果を有しており、適用可能である。
【００９８】
続いて、販売会社５０Ｃに配備されたサーバ装置５０から、購入者１０Ｕ又はカーショップ１０Ｓに配備された第１端末装置１０に対して、支払プランが決定した旨の通達が行われる。ここでは、例えば、図７に示したような確定した支払プランが、第１端末装置１０の出力部１０３により画像表示されたり、印刷出力される。購入者は、これを見て、購入内容を最終的に確実に把握できる。この段階で最終確認を示す旨のデータを入力部１０４で入力して、サーバ装置５０側に送信することも可能である。
【００９９】
尚、ステップＳ１８で支払プランが確定できない場合には、前述の如く、購入者１０Ｕ又はカーショップ１０Ｓに配備された第１端末装置１０に対して、新たな支払プランを提供したり、購入禁止を告知したりする。
【０１００】
販売会社５０Ｃに配備されたサーバ装置５０では、ステップＳ１８で支払プランが確定された際には商品の発送オーダが電子的になされ、その後、これに対応して実際に商品の発送が、例えば郵送や宅配等により行われる（ステップＳ２０）。以上により、一連のデータの授受が終了する。
【０１０１】
尚、購入者１０Ｕ又はカーショップ１０Ｓに対して、後日、商品が届けられる（ステップＳ２１）。その後は、図２を参照して説明した通りのローン会社２０Ｃ及びクレジット会社３０Ｃに対する料金支払が行われる。
【０１０２】
本発明の料金支払システムは、通信ナビゲーション装置だけでなく、商品を介して継続的に提供されるサービスが存在する限りにおいて、任意の商品とサービスとの組合せについて購入料金及びサービス料金の支払を行うのに適用可能である。
【０１０３】
本発明は、上述した実施形態或いは実施例に限られるものではなく、請求の範囲及び明細書全体から読み取れる発明の要旨或いは思想に反しない範囲で適宜変更可能であり、そのような変更を伴う料金支払システム及び方法、サーバ装置及びこれによる料金支払処理方法、コンピュータプログラム並びに記録媒体もまた本発明の技術思想に含まれるものである。
【０１０４】
以上説明したように、本実施例によれば、第１端末装置１０は、入力部１０４を備えており、サーバ装置５０は、処理部５０２、通信部５０１及び確定部５０７を備えており、第１端末装置１０では、入力工程が実行され、サーバ装置５０では、処理工程、通信工程及び確定工程が実行される。従って、例えば通信機器等の各種商品の購入料金と、その購入後にこの商品を介して継続的に提供される、例えば通信サービス等の各種サービスに対するサービス料金との両者が必要になる当該商品及びサービスについての、料金支払い或いは料金徴収に係るデータ処理を非常に効率的に実行可能となる。
【図面の簡単な説明】
【図１】本発明の実施形態に係る料金支払システムのブロック図である。
【図２】本発明の実施例における商品等のルートと料金回収ルートとを示す料金支払システムの概念的ブロック図である。
【図３】実施例における、購入者、販売会社、ローン会社及びクレジット会社間のデータ等の授受の様子を示すシーケンスチャートである。
【図４】実施例に係る支払プラン候補出力部としてのディスプレイ装置に表示される複数の支払プラン情報の一例を示す平面図である。
【図５】実施例においてディスプレイ装置に表示される購入申込フォームの一例を示す平面図である。
【図６】実施例において購入申込フォーム上で入力されたデータの流れ及びその構造変化を示す概念図である。
【図７】実施例において、確定プラン出力部としてのディスプレイ装置に表示される確定プラン表示の一例を示す平面図である。
【符号の説明】
１・・・通信ネットワーク
１０・・・第１端末装置
２０・・・第２端末装置
３０・・・第３端末装置
５０・・・サーバ装置
１０３・・・出力部
１０４・・・入力部
２０８・・・割賦支払審査部
３０８・・・決済代行審査部
５０１・・・通信部
５０２・・・処理部
５０５・・・データベース
５０６・・・支払プラン情報提供部
５０７・・・確定部
【図１】
2004038665.tif 000003
【図２】
2004038665.tif 000004
【図３】
2004038665.tif 000005
【図４】
2004038665.tif 000006
【図５】
2004038665.tif 000007
【図６】
2004038665.tif 000008
【図７】
2004038665.tif 000009